(57)【要約】      （修正有）【課題】スムーズに潰れ、かつ潰れ方が一緒で、減容化率の高い廃棄物となる内容器を持ったポンプ式二重容器を提供する。【解決手段】硬質樹脂製の外容器内に軟質樹脂製の内容器５を着脱自在に装入し、ポンプにより前記内容器５内の内容物を吸引して排出が可能であると共にこの内容物の排出に連れて内容器５内が減圧し、この減圧の作用により内容器５が潰れることにより内容物を余すことなく使い切ることができるように構成した二重容器において、前記内容器５の胴体部９を多角形に形成すると共にこの多角形の各コーナー部分に同一方向に傾斜させて山折れ線８を形成し、この山折れ線８において、直近の山折れ線８間に対角線状に谷折れ癖線１２を形成することにより、内容器５の潰れ方を山折れ線８と谷折れ癖線１２により誘導し、この誘導により内容器５をほぼ同一形状に小さく潰れさせ、かつ減容化することができる。【選択図】図２
2016088582.tif 000002
【特許請求の範囲】
【請求項１】
硬質樹脂製の外容器内に軟質樹脂製の内容器を着脱自在に装入し、ポンプにより前記内容器内の内容物を吸引して排出が可能であると共にこの内容物の排出に連れて内容器内が減圧し、この減圧の作用により内容器が潰れることにより内容物を余すことなく使い切ることができるように構成した二重容器において、前記内容器の胴体部を多角形に形成すると共にこの多角形の各コーナー部分に山折れ線を形成し、直近の山折れ線間の領域に対角線状に谷折れ癖線を形成することにより、減圧作用時に内容器の潰れ方が一定の形状となるように形成して成るポンプ付二重容器。
【請求項２】
前記内容器の胴体部の形状に合わせて、胴体部の肩部にはエッジ部が形成されていること、を特徴とする請求項１に記載のポンプ付二重容器。
【請求項３】
前記内容器は、前の内容器を使い切ったときは、付け替えて使用されるカートリッジ式のものであること、を特徴とする請求項１又は２に記載のポンプ付二重容器。
【請求項４】
前記内容器に形成した山折れ線は、全体が同一角度で同一方向に傾斜して形成されていること、を特徴とする請求項１〜３のいずれか１項に記載のポンプ付二重容器。
【請求項５】
前記谷折れ癖線と前記山折れ線間を結ぶように、水平方向に谷折れ癖補助線を形成して成ること、を特徴とする請求項１〜４のいずれか１項に記載のポンプ付二重容器。
【発明の詳細な説明】
【技術分野】
【０００１】
本発明は、ポンプ付二重容器において、二重容器内からポンプで内容物を吸い出した時に、内容物を充填した内容器が決った形に収縮変形して使い切った内容器を廃棄する際にその小型化を図ることができると共に内容物を余すことなく使い切ることができるように構成したポンプ付二重容器に関する。  
【背景技術】
【０００２】
近年の省資源化の要望に応えて、例えばシャンプー、リンスや石けん液等のポンプ付二重容器の場合には、ポンプと外容器はそのまま使い、内容物であるシャンプー等を充填した内容器のみを変換して廃棄するカートリッジ式の使用形態をとっているのが一般的である。
【０００３】
しかし、内容器はポンプで内容物が吸い出されて行くと、真空作用により収縮するが、この収縮したときの形状は不定形となり、廃棄処分に際して減容化率が小さい、という問題がある。
【０００４】
そこで、この減容化率を促進する目的で、特許文献１には、ポンプを口部に取着可能とした薄肉容器として、内容物の吐出に応じて容器の潰れ方を規制するようにした薄肉容器において、口部にポンプを取着し、胴周壁を薄肉とした容器であって、胴周壁に柱部を設け、内容物の吐出時に胴周壁の潰れ方を規制するようにした二重容器が紹介されている。
【０００５】
しかし、この二重容器の場合、容器の胴周壁に柱部を設けているため、潰れた時の胴部形状は細く変形するも、縦方向の寸法は初めと変わらず、全体の減容化率は大きくなる。
【０００６】
また、特許文献２には、変形し難い外容器と容易に変形可能な内容器とを含み、容器口部に内容器の口部に密封した流動物注出手段を装着してなる流動物の注出容器において、内容器が互に直交する方向へ延出した４つの略三角形の折畳部を中央で相互に連通すると共に、互に隣接する折畳部の直角部を上下逆に位置させた形状を有する袋状容器からなり、収縮時に折畳部が直交する４方向へ折り畳まれて平面十字状の収縮形状を呈するものが紹介されている。
【０００７】
しかし、この容器の場合、容器は収縮したときに平面視十字状を呈することはあっても、縦方向の収縮はしないことから、この例も減容化率は小さい。
【０００８】
次に、特許文献３には、ポンプ付き二重容器の内容器の潰れ変形形態が、設定したものとなるようにすることにより、確実で安定した内容物の吐出動作を得ることを目的とするものとして、潰れ変形自在な内容器と、内容器を収納保持する変形しない外容器と、両容器に組付いて、ポンプ動作により内容器の内容物を吐出するポンプとを有し、内容器の胴部にリブ条を形成して、潰れ変形を一定形態に規制すると共に、内容器と外容器との間に外気を導入する通気部を設けて、潰れ変形を円滑に行なわせる二重容器が紹介されている。
【０００９】
しかし、この容器の場合も、リブ条は胴部において高さ方向に形成されているため、収縮は前記２つの特許文献と同様に高さ方向においては発生せず、減容化率は高さ方向においては十分でない。
【先行技術文献】
【特許文献】
【００１０】
【特許文献１】特開２００５−８８９７９号公報
【特許文献２】実開平２−６９８８６号公報
【特許文献３】特開２００８−２１３８５４号公報
【発明の概要】
【発明が解決しようとする課題】
【００１１】
本発明は、収縮形状（潰れ方）がすべてほぼ同一形状になると共に収縮は横方向のみならず縦方向においても起り、使い捨て時の減容化率を最大限に引き出すことができる内容器を備えたポンプ付二重容器を提供するのが目的である。
【課題を解決するための手段】
【００１２】
上記目的を達成するため、請求項１に記載の発明は、ポンプ付二重容器において、硬質樹脂製の外容器内に軟質樹脂製の内容器を着脱自在に装入し、ポンプにより前記内容器内の内容物を吸引して排出が可能であると共にこの内容物の排出に連れて内容器内が減圧し、この減圧の作用により内容器が潰れることにより内容物を余すことなく使い切ることができるように構成した二重容器において、前記内容器の胴体部を多角形に形成すると共にこの多角形の各コーナー部分に山折れ線を形成し、直近の山折れ線間の領域に対角線状に結ぶ谷折れ癖線を形成することにより、減圧作用時に内容器の潰れ方が一定の形状となるように形成して成ることを特徴とするものである。
【００１３】
また、請求項２に記載の発明は、請求項１に記載のポンプ付二重容器において、前記内容器の胴体部の形状に合わせて、胴体部の肩部にはエッジ部が形成されていることを特徴とするものである。
【００１４】
また、請求項３に記載の発明は、請求項１又は２に記載のポンプ付二重容器において、前記内容器は、前の内容器を使い切ったときは、付け替えて使用されるカートリッジ式のものであることを特徴とするものである。
【００１５】
また、請求項４に記載の発明は、請求項１〜３のいずれか１項に記載のポンプ付二重容器において、前記内容器に形成した山折れ線は、全体が同一角度で同一方向に傾斜して形成されていることを特徴とするものである。
【００１６】
また、請求項５に記載の発明は、請求項１〜４のいずれか１項に記載のポンプ付二重容器において、前記谷折れ癖線と前記山折れ線間を結ぶように、水平方向に谷折れ癖補助線を形成して成ることを特徴とするものである。
【発明の効果】
【００１７】
本発明は、以上のとおり、内容物の胴体部は内部がポンプにより減圧されると、胴体部の山折れ線にはすべて同一方向に向けて傾斜がつけられているため、減圧時にこの傾斜方向に捻じれの作用が生じ、かつこの捻じれにより高さ方向が縮小化するため、縦方向と横方向において小型化（減容化）する。
【００１８】
この結果、使い切った内容器を廃棄する際に負荷がかからない。
【００１９】
また、内容器には、胴体部の形状に合わせて山折れ線と谷折れ癖線及び谷折れ癖補助線が形成されているため、潰れ方がこれらの谷折れ癖線及び谷折れ癖補助線に誘起されてスムーズに縮小し、潰れ方もほぼ同一形状になる。
【００２０】
また、内容器の肩部にはエッジ部が形成されているため、内容器の潰れ方がこのエッジ部の作用で安定し、外容器から内容器を取り出す際に引っ掛かり等の問題が起きない。
【図面の簡単な説明】
【００２１】
【図１】本発明に係るポンプ容器の一部断面図
【図２】実施例１に記載した内容器の斜視図
【図３】外容器内で内容器が潰れた状態の説明図
【図４】内容器が潰れた状態の説明図
【図５】実施例２に記載した内容器の斜視図
【図６】実施例２に記載した内容器が潰れた状態の説明図
【発明を実施するための形態】
【００２２】
本発明は、ポンプと外容器内に収容された内容器は、内容物を使い切った後は捨ててしまう所謂ポンプ付二重容器であって、前記内容器が内容物の使用量に応じて潰れて行く過程において、内容器の潰れ形状を誘導するために胴体部を多角形に形成し、この胴体部に山折れ線と谷折れ癖線を予めつけておくことにより、内容物を使い切った後の内容器の潰れ形状をいつもほぼ同じ形状となるようにすると共に可及的に小型化（減容化）することにより廃棄物としての負荷を軽減する内容である。
【００２３】
外容器は硬質の樹脂により成形され、内容器は変形（収縮）自在の軟質の樹脂によりブロー成形されている。
【００２４】
前記内容器から内容物を汲み出すポンプは、真空式であって、そのシリンダー部分を内容器内に挿入し、内容物を吸引すると、この吸引した内容物の容量に見合う分容器内は減圧化されて行く方式の所謂真空ポンプ付二重容器である。
【００２５】
二重容器の主たる用途としては、液体シャンプー、リンス或いは液体石けん等であるが、内容物はこれらのものに限定されず、液体であるならばその用途は問わない。
【実施例１】
【００２６】
図１〜図３に基いて本実施例１を詳細に説明する。
【００２７】
図１は、本発明に係る内容器を装着したポンプ付二重容器を示し、符号の１は外容器、２は外容器１の蓋、３は真空ポンプ、４はポンプシリンダー、４ａはポンプ吸引ノズルである。
【００２８】
５は内容器であって、この内容器５は、ポンプ３側の取り付けキャップ６に対して口部５ａに設けたねじ部７により取り付けられている。
【００２９】
８は内容器５の胴体部９の上部に形成したエッジ部１０と底部１１間に形成した六角形状の胴体部９に形成した山折れ線であって、この山折れ線８は、僅かに底部１１側に対してエッジ部１０側が時計廻り方向にスクイズした位置関係となっていて、このエッジ部１０と底部１１の六角形のコーナー間には、胴体部９を斜めに横切るようにそれぞれ谷折れ線１２が形成されている。
【００３０】
なお、山折れ線８と谷折れ癖線１２は、ブロー成形時においてコーナー或いは僅かな凹曲線で形成されるものであって、特別な線構造とはなっていない。
【００３１】
エッジ部１０も同様である。
【００３２】
図３は、ポンプ３により内容物が全量吸引されて内容器５が潰れた形状を示し、内容器５の胴体部９はエッジ部１０と底部１１との六角形は僅かにツイストしており、かつ谷折れ癖線１２も斜めに形成されているため、内容器５は図３、図４に示すように真空化にともなって山折れ線８間の中間領域は谷折れ癖線１２により内側に逆Ｖ字状に折り込まれて収縮し、かつ山折れ線８はＶ字状に折り畳まれ、かつ捻じられるように潰れる。
【００３３】
図３は、ポンプ３により図１に示す内容物ａが吸引されて内容器５が最終段階まで潰れた状態であって、内容器５内からは余すことなく内容物ａが吸引されたため、内容器５はポンプシリンダ４及びノズル４ａに纏わり付くようにして空となる。
【００３４】
このようにして、内容器５は、すべて同一方向に捻じれて潰れ、小型化すると共に胴体部９の底部１１は潰れによってエッジ部１０側に上昇して接近することにより、減容化率も極めて大きくなり、廃棄物としての負荷を軽減できる。
【００３５】
また、この潰れ方はすべて略同一形状となる。
【実施例２】
【００３６】
本実施例２は、前記した本実施例１と同一構造の内容器５に対し、図５に示すように、山折れ線８間の谷折れ癖線１２において、その上下２ヶ所から上方は右方向に位置する山折れ線８に向けて水平方向に上部谷折れ癖補助線１３を形成し、下方は左方向に位置する山折れ線８に向けて水平方向に下部谷折れ癖補助線１４を形成したものである。
【００３７】
このように、胴体部９においてその上下位置に谷折れ癖補助線１３、１４を形成することにより、胴体部９の底部１１側が上昇して潰れるときに、谷折れ癖補助線１３、１４の作用で変形がスムーズに行われると共に潰れた形状もより定型化するため、減容化率はどの場合でも略均一化する。
【００３８】
なお、この谷折れ癖補助線１３、１４は、本実施例では上下２本であるが、３本あるいは３本以上の本数としてもよい。
【００３９】
本発明において、上記実施例１、２の内容器５の胴体部９は六角形であるが、この形状は、三角形、５角形、８角形、あるいはこれ以上であってもよい。
【００４０】
また、山折れ線８は、胴体部９においてすべて同一方向に約３〜５°傾けることにより、胴体部９の捻じれ方向が定まるが、この傾ける角度は、胴体部９の面積及び高さ、直径、胴体部９の軟度等から最良のものが選定される。
【００４１】
図１において、１５はエアーの流入孔、１６は供回り防止ストッパーである。
【符号の説明】
【００４２】
１  外容器
２  キャップ
３  ポンプ
４  シリンダー
５  内容器
６  キャップ
７  ねじ
８  山折れ線
９  胴体部
１０  エッジ部
１１  底部
１２  谷折れ癖線
１３  上部谷折れ癖補助線
１４  下部谷折れ癖補助線
１５  エアー流入孔
１６  ストッパー
【図１】
2016088582.tif 000003
【図２】
2016088582.tif 000004
【図３】
2016088582.tif 000005
【図４】
2016088582.tif 000006
【図５】
2016088582.tif 000007
【図６】
2016088582.tif 000008